(57)【要約】  【課題】  操作片の上下可動により調節ベルトを移行させて簡易かつ円滑にウエスト調節が行えるウエスト調節具を提供する。  【解決手段】  ウエスト調節具は、調節突部８を所定間隔で並設した調節ベルト１、調節ベルト１を挿通できる挿通部１０を設け、内面に調節突部８と係合できる係止突部１６を設けたスライダー２、挿通部１０において直交して可動し、調節突部８に嵌合できる押圧部２６を対向面に設けた操作片３とから形成し、操作片３を下方へ押圧することにより調節ベルト１を下方へ移行し、調節突部８と係止突部１６との係合を解除して簡易にウエスト調節が行える。【選択図】  図１
2005232639.tif 000002
【特許請求の範囲】
【請求項１】
ウエスト調節具は、調節突部８を所定間隔で並設した調節ベルト１、調節ベルト１用の挿通部１０を横設し、基板１１に取付部１４を配設したスライダー２、挿通部１０に対し直交する形で可動する操作片３とから形成し、スライダー２は上面に挿入孔１９を設け、表板１２の裏面に調節突部８と係合する係止突部１６を設け、操作片３はスライダー２に対し上下可動に挿入し、調節突部８と対向する面に調節突部８と当接する押圧部２６を設け、操作片３をスライダー２の上方へ弾発的に付勢してなることを特徴とするウエスト調節具。
【請求項２】
操作片３の裏面に設ける押圧部２６は、各調節突部８の上下に当接する凹段部２７から形成してなる請求項１記載のウエスト調節具。
【請求項３】
操作片３の裏面に設ける押圧部２６は、上下の調節突部８の外側に当接する凹段部２７から形成してなる請求項１記載のウエスト調節具。
【請求項４】
操作片３の裏面に設ける押圧部２６は、上下の調節突部８間に嵌入できる当接突部３０から形成してなる請求項１記載のウエスト調節具。
【請求項５】
操作片３の下端に設ける弾性脚部２８は、斜傾状に斜設してなる請求項１記載のウエスト調節具。
【請求項６】
操作片３の下端に設ける弾性脚部２８は、交差状に２本斜設してなる請求項１記載のウエスト調節具。
【請求項７】
スライダー２の表板１２に窓孔１３を設け、操作片３の挿入板２３の表面は、表面へ平坦に膨出する膨出部２４を設け、該膨出部２４がスライダー２の窓孔１３へ嵌入可動可能に形成してなる請求項１記載のウエスト調節具。
【請求項８】
操作片３の挿入板２３の表面を平坦に形成し、スライダー２の裏面に設けた係止突部１６間に嵌入可動可能に形成してなる請求項１記載のウエスト調節具。
【請求項９】
スライダー２は、底部１７に弾性脚部２８を収容可能な収容部１８を凹設してなる請求項１記載のウエスト調節具。
【請求項１０】
スライダー２の挿通部１０は、調節ベルト１を上下に移行可能に形成し、調節突部８と係止突部１６との係脱可能に形成するとともに、挿通部１０に配した操作片３によって調節ベルト１を移行させる請求項１記載のウエスト調節具。
【発明の詳細な説明】
【技術分野】
【０００１】
この発明は、衣服たとえばベルトレスズボン、スカートなどにおけるウエストベルトの長さ調節が簡単にできる。一般にウエストアジャスターまたはベルトアジャスターと呼ばれるウエスト調節具に関するものである。
【背景技術】
【０００２】
従来のウエスト調節具については、各種多様なタイプのウエスト調節具が知られている。これらのウエスト調節具のうち、例えば図１８に示すように、調節ベルトの一面に突出する突起状の調節突部を並設した調節ベルトと、この調節ベルトを挿通することができる挿通部を備え、かつ内面に調節突部と係合できる係止突部を突設したスライダーとから形成し、使用に際しては調節ベルトを挿通したスライダーを手動によって上下に可動させることにより、調節突部と係止突部との係合を解除して、ウエスト回りの長さ調節を行うことができるウエスト調節具が知られている。
【０００３】
また、図１９に示すウエスト調節具のように、調節ベルトの一面に調節突部を並設した調節ベルトと、この調節ベルトを挿通できる挿通部を備え、かつ上下を貫通する貫通孔を設け、下部の貫通孔の両側に斜面部を設けたスライダーと、一面に調節突部と係合できる係止突部を設け、両側に斜面部を滑動できる弾性脚部を一体に設け、スライダーの上下の貫通孔へ挿入できる操作片とから形成し、スライダーに調節ベルトを挿通し、操作片をスライダーの上方から挿入して調節突部と係止突部とを係合させて係止し、ウエスト調節の際、操作片を弾性脚部の弾発力に抗して押圧することにより、調節突部と係止突部との係合を解除して、ウエスト回りの長さ調節を行うことができるウエスト調節具が知られている。
【特許文献１】特開２００１−３２１２２号公報
【特許文献２】特開２００１−７３２１３号公報
【発明の開示】
【発明が解決しようとする課題】
【０００４】
前述の図１８に示したウエスト調節具は、スライダーの係止突部と調節ベルトの調節突部との係合を解除するには、スライダーを取り付けたウエストベルトを、スライダーとともに上方へ持ち上げて調節突部が当接部に当接するまで移動させることによって、係止突部と調節突部との係合を解除し、スライダーを左右に移動させてウエスト回りの調節をした後、スライダーとともにウエストベルトを下方へ引き下げ、調節突部と係止突部とを係合させて調節を行うため、調節作業が煩雑であり、軽快な操作は望めない。さらにウエストベルトが不意に上下に移動することがあり、調節突部を係止突部との係合が外れウエストベルトが緩む恐れがある。
【０００５】
また図１９に示したウエスト調節具は、スライダーに挿入した操作片の頭部を押圧することにより、弾性脚部の先端を弾力に抗して斜面部を滑動し、操作片を押し下げ調節ベルトの調節突部と操作片の係止突部との係合を解除し、操作片を押圧したままスライダーを左右へ摺動させてウエスト回りの調節を行った後、操作片の押圧を解放すると、調節突部と係止突部とが係合してウエスト回りの調節をするものであり、調節ベルトが挿通方向に引張力を受けると操作片ががたつく恐れがある。
【０００６】
この発明は、上記の点を考慮して発明されたものであり、請求項１記載の発明は、ウエスト調節具を調節ベルト、スライダー、操作片から形成し、操作片を手動で上下可動させることにより、調節ベルトに配した調節突部とスライダーに配した係止突部との係脱動作を調節ベルトの上下動によって行うタイプで、操作片がスライダーに安定した状態で配され、軽快な操作を行うことができ、かつ係脱動作が的確に行うことができるウエスト調節具を提供することが主たる目的である。
【０００７】
請求項２、３および４記載の発明は、それぞれ請求項１記載の発明の目的に加え、操作片の形態を特定することによって、操作片に配する押圧部が調節ベルトの調節突部と係合し、確実に調節ベルトを上下方向へ移動させ、調節突部と係止突部との係脱動作を円滑に行うことができるウエスト調節具を提供することが目的である。
【０００８】
請求項５および６記載の発明は、それぞれ請求項１記載の発明の目的に加え、操作片に一体に設置する弾発機構を特定することによって、操作片がスライダー内において円滑に弾発機能を発揮することができ、調節ベルトを的確に移動させる動作を備えたウエスト調節具を提供することが目的である。
【０００９】
請求項７および８記載の発明は、請求項１記載の発明に加え、操作片とスライダーとの嵌合形態を特定することによって、操作片を効果的な形でスライダーに収容し、円滑かつ的確に操作片を作動させて調節ベルトとスライダーとの係脱機能を惹起できるウエスト調節具を提供することが目的である。
【００１０】
請求項９記載の発明は、請求項１記載の発明の目的に加え、スライダーは操作片に一体に設けた弾性脚部を簡単な構造で収容し、円滑に弾発機能を発揮できるウエスト調節具を提供することが目的である。
【００１１】
請求項１０記載の発明は、請求項１記載の発明の目的に加え、スライダーの挿通部は調節ベルトと操作片を有効に収容し、調節ベルトを操作片の操作によって円滑に移行させることができるウエスト調節具を提供することが目的である。
【課題を解決するための手段】
【００１２】
前記の目的を達成するため、この発明のうち請求項１記載の発明は、ウエスト調節具が調節突部８を所定間隔で並設した調節ベルト１と、調節ベルト１を挿通できる挿通部１０を横設し、基板１１に取付部１４を配設したスライダー２と、挿通部１０に対し直交する形で収容し可動する操作片３とから形成し、スライダー２は上面に操作片３を挿入できる挿入孔１９を設け、表板１２の裏面に調節ベルト１の調節突部８と係合できる係止突部１６を設け、操作片３はスライダー２に対し上下可動できるように挿入し、裏面には調節ベルト１の調節突部８と当接する押圧部２６を設け、操作片３をスライダー２の上方へ弾発的に付勢したウエスト調節具を主な構成とするものである。
【００１３】
請求項２記載の発明は、請求項１記載の発明の構成に加え、操作片３の裏面に設ける調節突部８と当接する押圧部２６は、各調節突部８の上下面に当接する凹状の凹段部２７から形成したウエスト調節具である。
【００１４】
請求項３記載の発明は、請求項１記載の発明の構成に加え、操作片３の裏面に設ける調節突部８と当接する押圧部２６は、上下段の調節突部８の外側面に当接する凹状の凹段部２７から形成したウエスト調節具である。
【００１５】
請求項４記載の発明は、請求項１記載の発明の構成に加え、操作片３の裏面に設ける調節突部８と当接する押圧部２６は、上下段の調節突部８の間に嵌入し、調節突部８の内側面に当接する凸状の当接突部３０から形成したウエスト調節具である。
【００１６】
請求項５記載の発明は、請求項１記載の発明の構成に加え、操作片３の下端に設ける弾性脚部２８は、斜傾状を呈する形で操作片３と一体に斜設した形態のウエスト調節具である。
【００１７】
請求項６記載の発明は、請求項１記載の発明の構成に加え、操作片３の下端に設ける弾性脚部２８は、交差状を呈する形で操作片３と一体に２本斜設した形態のウエスト調節具である。
【００１８】
請求項７記載の発明は、請求項１記載の発明の構成に加え、スライダー２の表板１２に窓孔１３を設け、操作片３の挿入板２３の表面は、平坦状に膨出する形の膨出部２４を設け、この膨出部２４がスライダー２に設けた窓孔１３へ嵌入して上下方向へ可動できるように形成したウエスト調節具である。
【００１９】
請求項８記載の発明は、請求項１記載の発明の構成に加え、操作片３の挿入板２３の表面を平坦に形成し、操作片３をスライダー２の裏面に設けた左右の係止突部１６の間に嵌入して上下に可動できるように形成したウエスト調節具である。
【００２０】
請求項９記載の発明は、請求項１記載の発明の構成に加え、スライダー２は、底部１７に操作片３に斜設した弾性脚部２８を収容することができる収容部１８を凹設したウエスト調節具である。
【００２１】
請求項１０記載の発明は、請求項１記載の発明の構成に加え、スライダー２に設置する挿通部１０は、挿通される調節ベルト１を上下に一定量移動できるように形成して調節突部８と係止突部１６とが係脱可能に形成するとともに、挿通部１０において上下へ可動できる形で挿入した操作片３の操作によって調節ベルト１を上下に移行させることができるウエスト調節具である。
【発明の効果】
【００２２】
この出願の発明の効果として、請求項１記載の発明は、ウエスト調節具は調節突部を所定間隔で並設した調節ベルト、調節ベルト用の挿通部を横設し、基板に取付部を配設したスライダー、挿通部に対し直交する形で可動する操作片とから形成し、スライダーは上面に挿入孔を設け、表板の裏面に調節突部と係合する係止突部を設け、操作片はスライダーに対し上下可動に挿入し、調節突部と対向する面に調節突部と当接する押圧部を設け、操作片をスライダーの上方へ弾発的に付勢したことによって、下記の効果を奏する。
【００２３】
スライダーに操作片を安定した状態で挿入することができ、その操作片を手動により上下動させることにより、スライダーに挿通した調節ベルトを上下方向へ積極的に移行させ、調節ベルトに配した調節突部とスライダーに配した係止突部とを的確に係脱させ、調節ベルトの移行操作を軽快に行うことができる効果がある。
【００２４】
請求項２、３および４記載の発明は、それぞれ請求項１記載の発明の効果に加え、操作片の裏面に設ける押圧部は、各調節突部の上下に当接する凹段部を形成するか、または上下の調節突部の外側に当接する凹段部を形成するか、あるいは上下の調節突部間に嵌入できる当接突部を形成することによって、操作片に設けた押圧部が確実に調節ベルトの調節突部を捕捉し、的確かつ円滑に調節ベルトを移行させる効果がある。
【００２５】
請求項５および６記載の発明は、それぞれ請求項１記載の発明の効果に加え、操作片の下端に設ける弾性脚部は、斜傾状に一体に斜設するか、または交差状に２本斜設することによって、簡単な構造の弾発機構に仕上げることができ、しかも確実に弾発機能を発揮し、円滑に調節ベルトを移行させる効果がある。
【００２６】
請求項７および８記載の発明は、請求項１記載の発明の効果に加え、スライダー２の表板に窓孔を設け、操作片の表面は、中間部分が表面へ平坦に膨出する膨出部を設け、該膨出部がスライダーの窓孔へ嵌入可動可能に形成するか、または操作片の挿入板の表面を平坦に形成し、スライダーの裏面に設けた係止突部間に嵌入可動可能に形成することによって、操作片を有効的にスライダー内へ収容することができ、かつ操作片をがたつくことなく円滑に作動でき、さらに固定具を用いてスライダーをウエストベルトに取り付けるとき使用する透孔を改めて穿孔する必要はなく兼用できる効果がある。
【００２７】
請求項９記載の発明は、請求項１記載の発明の効果に加え、スライダーは、底部に弾性脚部を収容可能な収容部を凹設したことによって、スライダーの下部を有効的に利用して収容部を設け、操作片の弾性脚部を安定した状態で収容し、円滑に弾発機能を発揮できる効果がある。
【００２８】
請求項１０記載の発明は、請求項１記載の発明の効果に加え、スライダーの挿通部は、調節ベルトを上下に移動可能に形成し、調節突部と係止突部との係脱可能に形成するとともに、挿通部に配した操作片によって調節ベルトを移動させることによって、スライダーは調節ベルトを容易に上下へ移行させることができ、その結果調節突部と係止突部とを確実に係脱させることができる。この機能を操作片の可動によって簡易に実施できる効果があるなど、この発明が奏する効果はきわめて顕著である。
【発明を実施するための最良の形態】
【００２９】
この発明におけるウエスト調節具は、調節ベルト１、スライダー２、操作片３から形成し、調節ベルト１は細巾状のベルトの表面に所定間隔で調節突部８を多数並設し、スライダー２は調節ベルト１を横方向に挿通できる挿通部１０を貫設し、スライダー２の基板１１は衣服のウエストベルト５へ取り付けるための取付部１４、例えば固定具４を用いるとき使用するピン孔１５または縫着用の凹溝２０を設けた取付部１４を基板１１の両側に延設し、上面には操作片３を挿入するための挿入孔１９を設け、底部１７には操作片３の弾性脚部２８を収容できる凹状の収容部１８を凹設し、表板１２には操作片３の挿入板２３の表面が遊嵌できる窓孔１３を穿孔し、この窓孔１３の両側内面に調節ベルト１の調節突部８と対応して係合できる係止突部１６を突設する。
【００３０】
操作片３は長方形の板状体から形成し、上部に押圧に用いる頭部２２を設け、下端には斜傾状の弾性脚部２８を一体に斜設し、操作片３の挿入板２３の表面は平坦状に膨出する形の膨出部２４を設け、この膨出部２４が窓孔１３に遊嵌して上下方向へ可動できるように形成するか、または挿入板２３の表面を平坦に形成し、スライダー２の裏面に突設した係止突部の間に嵌入して上下方向へ可動できるように形成する。また操作片３の裏面には調節ベルト１の調節突部８の上下面へ当接して押圧できる押圧部２６を設け、この押圧部２６は凹状の１段または２段の凹段部２７であったり、調節突部８間に嵌入できる凸状の当接突部３０から形成する。また操作片３の頭部２２の両側下部に左右へ突出する突出部２９を設けて挿入孔１９の縁部に弾接するように形成する。
【００３１】
調節ベルト１、スライダー２、操作片３はそれぞれ熱可塑性樹脂を用いて射出成形手段によって一体成形する。スライダー２をウエストベルト５へ取り付けるには基板１１に設けたピン孔１５または凹溝２０を利用して取り付ける。ウエストベルト５へ取り付けたスライダー２に対し、スライダー２の挿入孔１９に操作片３を挿入した状態でウエストベルト５に一端を固定した調節ベルト１を挿通部１０および操作片３の押圧部２６に挿通して調節突部８と係止突部１６とを係合させた後、調節ベルト１の端部をウエストベルト５に固定して、調節ベルト１、スライダー２、操作片３とをセットする。
【００３２】
セットされたウエスト調節具は、操作片３を弾性脚部２８の弾力に抗して押圧することにより、操作片３の押圧部２６によって調節突部８を下方へ押圧して調節ベルト１を下方へ移行し、その結果調節突部８と係止突部１６とは係合を解除し調節ベルト１を解放する。その間において調節ベルト１の長さ調節を行った後、操作片３を上方へ復元させ調節突部８と係止突部１６とを係合させ固定する。
【実施例１】
【００３３】
図１〜７に示す実施例１のウエスト調節具について説明すると、ウエスト調節具は図１に示すように、調節ベルト１、スライダー２、操作片３、固定具４の四部材から構成され、この四部材は図８，９に示すように、ベルトレスズボンなどにおけるウエストベルト５の端部に固定具４によって、操作片３を装着した状態のスライダー２を内側に取り付け、このスライダー２に表面をウエストベルト５の共生地７すなわち共布で被覆した調節ベルト１を挿通し、この調節ベルト１の両端をウエストベルト５の表面へ取り付け、操作片３を押圧してスライダー２を摺動させ、ウエスト回りの調整を行う。
【００３４】
ウエスト調節具における調節ベルト１、スライダー２、操作片３、固定具４は共にポリアミド、ポリアセタール、ポリプロピレン、ポリブチレンテレフタレートなどの熱可塑性樹脂を用いて射出成形加工によって一体成形して形成する。調節ベルト１は長尺状のベルト帯であって、表面に所定の間隔で突出する調節突部８を上下二段に並設し、調節突部８の形状は長方形あるいは縦長の六角形または両側が平行な適宜の形状に形成し、調節ベルト１の裏面は平坦で全体が可撓性を備え、ズボン、スカートなどのウエストベルト５の共生地７を取り付ける。なお調節ベルト１の表面に形成する調節突部８を一段のみに形成してウエスト調節具を小型化することもできる。
【００３５】
スライダー２は、全体が方形体で左右両側は開口して調節ベルト１が横方向に挿通できる空洞状の挿通部１０を設け、この挿通部１０と直交する形で操作片３を配するため、スライダー２の上側に挿入孔１９を設け、下側の底部１７に操作片３の弾性脚部２８を収容することができる凹溝状の収容部１８を凹設する。収容部１８の両端部分は開放状態であっても、図３に示すように一方が封鎖される形、あるいは両端が封鎖される形に適宜形成する。
【００３６】
スライダー２の表板１２には、操作片３の挿入板２３の表面が遊嵌できる大きさの窓孔１３を穿孔し、この窓孔１３の縁部裏面に調節ベルト１の調節突部８と対応して係合することができる係止突部１６を２個内方へ向けて設け、基板１１における中央の縦方向に２個のピン孔１５を穿設し、その周囲が窪んだ形状の取付部１４を設け、固定具４の取付ピン３４を加熱加圧して圧潰し、固定具４をウエストベルト５に固定する。なお窓孔１３は固定具４の取付ピン３４を圧潰する加圧作業の際に利用することができるものである。
【００３７】
操作片３はスライダー２の挿入孔１９に挿入し窓孔１３に遊嵌できる大きさの長方形の板体で上側に頭部２２を設け、この頭部２２の下側に挿入板２３を連設し、挿入板２３の表面は平坦状に外方へ膨出する形の膨出部２４を設け、この膨出部２４がスライダー２の窓孔１３に遊嵌できる。挿入板２３の下端には一側から他側へ向け斜傾状に延びる弾性脚部２８を斜設し、弾性脚部８の先端はやや拡大状の膨頭部３１に形成して、スライダー２の収容部１８に収容する。挿入板２３の中央には縦方向に長方形の透孔２５を穿孔し、固定具４の取付ピン３４を圧潰するときの便宜を図る。また頭部２２の下端に両側へ突出する突出部２９を設けて挿入孔１９の縁部に弾接して操作片３がスライダー２から脱出するのを阻止する。
【００３８】
操作片３の挿入板２３の裏面には、調節ベルト１に設けた調節突部８に嵌合できる凹状の凹段部２７に横設し、この凹段部２７の中間に表面へ突出する凸状の押圧部２６を設け、押圧部２６の上下両面で調節突部８を上下方向へ押圧することができる。従って操作片３の頭部２２を押圧すると調節突部８を下方へ押圧し、押圧動作を中止すると弾性脚部２８の弾力によって調節突部８を上方へ上昇させる。この操作片３の昇降動作によって、調節ベルト１を上下方向へ移行させることにより調節ベルト１の調節突部８とスライダー２の係止突部１６とを係合させたり、また係合を解除させる係脱動作を行う。なお、操作片３の弾発機構として、操作片３の下端に弾性脚部２８を設置する代わりに、操作片３の下面とスライダー２の底部１７との間にスプリング、例えばはさみ形バネ、板バネなどを介在させて操作片を上方へ弾発付勢させてもよく、また特開平９−２７３０１３号公報に開示された弾発機構によって付勢させてもよい。
【００３９】
固定具４は平板状のキャップ３３の一面に、スライダー２の基板１１に設けた取付部１４としてのピン孔１５に挿入できる取付ピン３４を上下に突設し、スライダー２をウエストベルト５の裏面へ宛がってウエストベルト５の表面から取付ピン３４をスライダー２の取付部１４におけるピン孔１５に刺通して取付ピン３４の先端をスライダー２の窓孔１３を利用して加熱加圧し、圧潰することによりスライダー２をウエストベルト５に取り付ける。
【００４０】
ウエスト調節具の使用態様を説明すると、ウエスト調節具はベルトレスズボン、スカートなどの外側のウエストベルト５の端部に操作片３を装備したスライダー２を固定具４によって取り付け、スライダー２に調節ベルト１を挿通してセットする。セットされたウエスト調節具は、図７に示すように、操作片３を押圧することによって、スライダー２に挿通された調節ベルト１の調節突部８が操作片３の凹段部２７に内挿されているため押圧部２６によって下方へ押圧し、調節ベルト１をスライダー２の下方へ移行させ、調節突部８と係止突部１６の係合を解除する。この操作片３の押圧中に調節ベルト１を左右に摺動させてウエスト回りの調節を行った後、操作片３の押圧動作をストップさせると、下端の弾性脚部２８の弾力によって操作片３は上方へ復帰し、調節突部８と係止突部１６とが係合して固定し、ウエスト回りの調整作業が完了する。
【実施例２】
【００４１】
図１０に示す実施例２のウエスト調節具は、操作片３の変形例を示すものであり、操作片３の挿入板２３の表面の形態が第１実施例の挿入板２３とは異なるが、その他の構成は同一構成である。操作片３の挿入板２３の表面は、頭部２２から弾性脚部２８まで平坦に形成し、操作片３をスライダー２の挿入孔１９から挿入したとき、図１に示すスライダー２の窓孔１３の左右の周縁において内方へ突出する係止突部１６の間に嵌入し、下端の弾性脚部２８を収容部１８に収容する。操作片３の側面はスライダー２の係止突部１６がガイドし、左右のがたつきを防ぐものである。なお、係止突部１６を窓孔１３の周縁から内側へ離間した裏面に設けてもよい。
【実施例３】
【００４２】
図１１，１２に示す実施例３のウエスト調節具は、操作片３の変形例を示すものであり、操作片３は挿入板２３の裏面の形態が第１実施例の挿入板２３とは異なるが、その他の構成は同一構成である。操作片３の挿入板２３の裏面に形成する押圧部２６の形態は、凹状の凹段部２７は１段のみに形成され押圧部２６は図１２に示すように、調節ベルト１に設置した２段の調節突部８における上下の外側面のみに当接する形状に形成されている。従って調節ベルト１の調節突部８が１段の場合でも簡単に適用できるものである。
【実施例４】
【００４３】
図１３，１４に示す実施例４のウエスト調節具は、操作片３の変形例を示すものであり、操作片３は挿入板２３の裏面の形態が第１実施例の挿入板２３とは異なるが、その他の構成は同一構成である。操作片３の挿入板２３の裏面に形成する押圧部２６の形態は、挿入板２３の裏面を平坦状に形成し、この中央に凸状の当接突部３０を横設し、当接突部３０が調節ベルト１の２段の調節突部８の間に嵌入して調節突部８を上下方向へ押圧して調節ベルト１を上下へ移行することができる。
【実施例５】
【００４４】
図１５，１６に示す実施例５のウエスト調節具は、操作片３の変形例を示すものであり、操作片３は挿入板２３の下端に設ける弾性脚部２８の形態が第１実施例の弾性脚部２８とは異なるが、その他の構成は略同一構成である。操作片３の挿入板２３の下端に形成する弾性脚部２８の形態は、挿入板２３の下端の一方から他方へ向けて斜傾状に弾性脚部２８を斜設し、この弾性脚部２８を交差する。弾性脚部２８を挿入板２３の下端における他方から一方へ向けて斜設したものであり、スライダー２の底部１７は２本の弾性脚部２８が収容できるように収容部１８の幅を上部に挿入孔１９の幅と略同一の幅に形成する。このタイプの弾性脚部２８は厚さを薄く形成し安定した弾発力を発揮させる。
【実施例６】
【００４５】
図１７に示す実施例６のウエスト調節具は、スライダー２および操作片３の変形例を示すものであり、スライダー２の基板１１の形態および操作片３の挿入板２３の形態が、第１実施例の基板１１および操作片３の挿入板２３の形態が、第１実施例の基板１１および挿入板２３とは異なるが、その他の構成は同一構成である。スライダー２の基板１１の中央に取付部１４としてのピン孔１５を穿孔することなく、基板１１の左右を延設してウエストベルト５へ取り付ける取付部１４を設け、この取付部１４に凹溝２０を刻設して縫糸３６が収容できる形状に形成する。また操作片３の挿入板２３の中央に長方形の透孔２５を穿孔する必要がないので設置していない。
【産業上の利用可能性】
【００４６】
この発明のウエスト調節具の活用例として、衣服特にベルトレスズボン、スカートにおける外側のウエストベルトに固定具を使用してスライダーを取り付け、または縫糸を用いて取り付け、内側のウエストベルトに共布と共に調節ベルトの両端を取り付け、調節ベルトにスライダーを挿通するとともに、操作片を挿入して押圧操作によってズボン、スカートのウエスト回りの長さ調節を行うベルトアジャスターとして利用する。
【図面の簡単な説明】
【００４７】
【図１】実施例１のウエスト調節具の分解斜視図である。
【図２】同上ウエスト調節具の操作片の斜視図である。
【図３】同上ウエスト調節具の係合使用状態を示す正面断面図である。
【図４】同上ウエスト調節具の図３におけるＡ−Ａ断面図である。
【図５】同上ウエスト調節具の図３におけるＢ−Ｂ断面図である。
【図６】同上ウエスト調節具の図３におけるＣ−Ｃ断面図である。
【図７】同上ウエスト調節具の非係合使用状態を示す正面断面図である。
【図８】同上ウエスト調節具の使用状態を示す横断面図である。
【図９】ウエスト調節具の使用状態を示す正面図である。
【図１０】実施例２のウエスト調節具における操作片の側面図である。
【図１１】実施例３のウエスト調節具における操作片の斜視図である。
【図１２】同上ウエスト調節具の使用状態を示す断面図である。
【図１３】実施例４のウエスト調節具における操作片の斜視図である。
【図１４】同上ウエスト調節具の使用状態を示す断面図である。
【図１５】実施例５のウエスト調節具における操作片の斜視図である。
【図１６】同上操作片の側面図である。
【図１７】実施例６のウエスト調節具の分解斜視図である。
【図１８】公知のウエスト調節具の分解斜視図である。
【図１９】他の公知のウエスト調節具の分解斜視図である。
【符号の説明】
【００４８】
１            調節ベルト
２            スライダー
３            操作片
８            調節突部
１０            挿通部
１１            基板
１２            表板
１３            窓孔
１４            取付部
１６            係止突部
１７            底部
１８            収容部
１９            挿入孔
２３            挿入板
２４            膨出部
２６            押圧部
２７            凹段部
２８            弾性脚部
２９            突出部
３０            当接突部
【図１】
2005232639.tif 000003
【図２】
2005232639.tif 000004
【図３】
2005232639.tif 000005
【図４】
2005232639.tif 000006
【図５】
2005232639.tif 000007
【図６】
2005232639.tif 000008
【図７】
2005232639.tif 000009
【図８】
2005232639.tif 000010
【図９】
2005232639.tif 000011
【図１０】
2005232639.tif 000012
【図１１】
2005232639.tif 000013
【図１２】
2005232639.tif 000014
【図１３】
2005232639.tif 000015
【図１４】
2005232639.tif 000016
【図１５】
2005232639.tif 000017
【図１６】
2005232639.tif 000018
【図１７】
2005232639.tif 000019
【図１８】
2005232639.tif 000020
【図１９】
2005232639.tif 000021